(57)【要約】【課題】ハーネス抜けを防止し、かつ、コストダウンを図ることの可能な光走査装置および画像形成装置を提供する。【解決手段】原稿画像の走査光の走査位置を検出する検出手段と、当該検出手段と他の機能部とを接続するコネクタとを同一面上に配置して、コネクタに接続される配線用のハーネスを光走査装置内に這わせるハーネス配置手段を備えている。このハーネス配置手段は、光走査装置内の光ビームを遮らないようにして、ハーネスを光走査装置の内部に這いまわしている。【選択図】図２
2007248652.tif 000002
【特許請求の範囲】
【請求項１】
光源からの光束を光偏向手段により偏向させて、偏向された前記光束を結像光学系によって被走査面上に集光させて光走査を行う光走査装置であって、
前記光束の走査位置を検出する検出手段と、前記検出手段が配置された基板と、前記基板と他の機能部とを接続する第１のコネクタとを有し、
前記検出手段と前記第１のコネクタとは同一面上に設置され、前記コネクタと前記他の機能部とを接続するハーネスを前記光走査装置内部に這わせるハーネス配置手段を有することを特徴とする光走査装置。
【請求項２】
前記ハーネス配置手段は、ガイド部材によって前記ハーネスを這わせることを特徴とする請求項１記載の光走査装置。
【請求項３】
前記ハーネス配置手段は、前記検出手段へ入射される入射光の入射路と接触しないように、前記ハーネスを這わせることを特徴とする請求項１または２記載の光走査装置。
【請求項４】
前記第１のコネクタは、前記検出手段よりも上側に配置されたことを特徴とする請求項１記載の光走査装置。
【請求項５】
前記光走査装置は、内部に前記光源と、前記光源が配置された光源制御基板と、前記光源制御基板と他の機能部とを接続する第２のコネクタとを有し、当該第２のコネクタは、前記光源よりも上側に配置されたことを特徴とする請求項１記載の光走査装置。
【請求項６】
前記光走査装置は、内部に前記偏向手段である回転多面鏡と、前記回転多面鏡が配置された回転多面鏡制御基板と、前記回転多面鏡制御基板と他の機能部とを接続する第３のコネクタとを有し、当該第３のコネクタの接続口は、前記回転多面鏡制御基板上の垂直方向上部に配置されたことを特徴とする請求項１記載の光走査装置。
【請求項７】
前記第１のコネクタと、前記第２のコネクタと、前記第３のコネクタと、に接続された前記ハーネスを一束化して、前記光走査装置の外部へと露出させることを特徴とする請求項１記載の光走査装置。
【請求項８】
前記ハーネスは、前記光走査装置の光束の経路と接触しないように、一束化されて外部へ露出されたことを特徴とする請求項７記載の光走査装置。
【請求項９】
請求項１から８のいずれか１項記載の光走査装置を備えた画像形成装置。
【発明の詳細な説明】
【技術分野】
【０００１】
本発明は、ハーネス抜けを防止し、かつ、安価に提供可能な光走査装置および画像形成装置に関する。
【背景技術】
【０００２】
光源からの光束を、回転多面鏡の光偏向手段により偏向させ、偏向される光束をｆθレンズ等の走査結像光学系を用いて被走査面に向けて集光させることにより、被走査面上に光スポットを形成し、この光スポットにより被走査面を走査する光走査装置は、光プリンタや光プロッタ、デジタル複写機等の画像形成装置に搭載されて広く知られている。
【０００３】
光走査装置を用いる画像形成装置においては、画像形成プロセス内の一工程として、光走査により画像の書き込みを行う画像書込工程が採用されているが、画像プロセスによって形成される画像の良否は光走査の良否に影響される。そこで、発光源から回転多面鏡にて偏向された光束のうち、一部を同期検知センサに入射させて光走査のタイミングを計り、光スポットの走査位置のズレを回避している。
【０００４】
このような光走査装置に関する従来技術としては、特許文献１に開示された発明が公知である。特許文献１には、光走査装置における同期ハズレが生じた同期検知センサを外部から簡単にチェックすることができる発明が開示されている。
【特許文献１】特開２００５−０９１９３３号公報
【発明の開示】
【発明が解決しようとする課題】
【０００５】
しかし、特許文献１に開示された発明は、同期検知センサを外部から簡単にチェックできるものの、この同期検知センサが両面に実装されており、コストアップにつながっている。また、同期検知センサが実装された基板のコネクタが光走査装置の外部にあるため、いわゆるハーネス抜けが発生する可能性もあり、改良の余地がある。
【０００６】
そこで本発明は、光束の位置を検出する検出手段とコネクタとを同一面上に設置して、コネクタに接続されるハーネスを装置内部に這わせるハーネス配置手段を有する光走査装置および画像形成装置を提供することを目的としている。
【課題を解決するための手段】
【０００７】
上記の目的を達成するため、請求項１に記載の発明は、光源からの光束を光偏向手段により偏向させて、偏向された光束を結像光学系によって被走査面上に集光させて光走査を行う光走査装置であって、光束の走査位置を検出する検出手段と、検出手段が配置された基板と、基板と他の機能部とを接続する第１のコネクタとを有し、検出手段と第１のコネクタとは同一面上に設置され、コネクタと他の機能部とを接続するハーネスを光走査装置内部に這わせるハーネス配置手段を有することを特徴とする。
【０００８】
請求項２に記載の発明は、請求項１記載の光走査装置において、ハーネス配置手段は、ガイド部材によってハーネスを這わせることを特徴とする。
【０００９】
請求項３に記載の発明は、請求項１または２記載の光走査装置において、ハーネス配置手段は、検出手段へ入射される入射光の入射路と接触しないように、ハーネスを這わせることを特徴とする。
【００１０】
請求項４に記載の発明は、請求項１記載の光走査装置において、第１のコネクタは、検出手段よりも上側に配置されたことを特徴とする。
【００１１】
請求項５に記載の発明は、請求項１記載の光走査装置において、光走査装置は、内部に光源と、光源が配置された光源制御基板と、光源制御基板と他の機能部とを接続する第２のコネクタとを有し、第２のコネクタは、光源よりも上側に配置されたことを特徴とする。
【００１２】
請求項６に記載の発明は、請求項１記載の光走査装置において、光走査装置は、内部に偏向手段である回転多面鏡と、回転多面鏡が配置された回転多面鏡制御基板と、回転多面鏡制御基板と他の機能部とを接続する第３のコネクタとを有し、第３のコネクタの接続口は、回転多面鏡制御基板上の垂直方向上部に配置されたことを特徴とする。
【００１３】
請求項７に記載の発明は、請求項１記載の光走査装置において、第１のコネクタと、第２のコネクタと、第３のコネクタと、に接続されたハーネスを一束化して、光走査装置の外部へと露出させることを特徴とする。
【００１４】
請求項８に記載の発明は、請求項７記載の光走査装置において、ハーネスは、光走査装置の光束の経路と接触しないように、一束化されて外部へ露出されたことを特徴とする。
【００１５】
請求項９に記載の発明は、請求項１から８のいずれか１項記載の光走査装置を備えた画像形成装置であることを特徴とする。
【発明の効果】
【００１６】
このように、本発明によれば、光束の位置を検出する検出手段とコネクタとを同一面上に設置して、コネクタに接続されるハーネスを装置内部に這わせるハーネス配置手段を有する光走査装置および画像形成装置を提供することができる。
【発明を実施するための最良の形態】
【００１７】
以下に、本実施形態の光走査装置および画像形成装置について図面を参照しながら説明する。なお、本実施形態は以下に述べるものに限定されず、その趣旨を逸脱しない範囲において種々変更が可能である。
図１は、本実施形態の光走査装置を備えた画像形成装置を模式的に示すブロック図である。
【００１８】
図１に示すように、本実施形態の画像形成装置は、光走査装置１と、感光体２と、帯電器３と、現像ユニット４と、転写器５と、クリーニングユニット６と、除電器７とを備えている。
【００１９】
原稿画像が読み取られると、光走査装置１では、その画像データによってＬＤなどの光源か点灯して光ビームを発する。この光ビームは、図示しないコリメートレンズなどにより平行光束化されてシリンダレンズを介し、ポリゴンモータ１１によって回転する回転多面鏡であるポリゴンミラー１２にて偏向される。偏向された光ビームは、ｆθレンズ１３、ＢＬＴ１４を通って、折り返しミラー１５によって反射されて、感光体２上に光走査を行う。
【００２０】
なお、ＢＬＴ１４とは、バレル・トロイダル・レンズの略で、副走査方向のピント合わせ（集光機能と副走査方向の位置補正（面倒れ等））を行っている。また、図示していないが、光走査装置１の主走査方向端部の画像書き出し側には、光ビームを検出する同期検知センサが備わっており、ｆθレンズを通過した光ビームがミラーによって反射され、レンズによって集光させて同期検知センサに入射するような機構になっている。
【００２１】
感光体２の回りには、帯電器３と、現像ユニット４と、転写器５と、クリーニングユニット６と、除電器７とが備わっており、通常の電子写真プロセスである帯電、露光、現像、転写により記録紙Ｓ上に画像が形成される。そして、画像が転写された後の転写紙Ｓは、図示しない定着装置によって記録紙上の画像が定着される。
【００２２】
次に、本実施形態の光走査装置をより詳細に説明する。
図２は、本実施形態の光走査装置１の構成を示す斜視図である。
【００２３】
図２に示すように、本実施形態の光走査装置１は、光源を制御する光源制御部２１と、光源部２１からの光ビームを偏向させる偏向手段であるポリゴンミラー制御部２２と、偏向された光ビームのうち同期ビームＬを検出する検出手段である光ビーム検出部２３とを備えている、そして、光源制御部２１と、ポリゴンミラー制御部２２と、光ビーム検出部２３との基板上にそれぞれ設けられたコネクタにて、各機能部と接続される配線用のハーネスを這わせる、ハーネス配置手段であるハーネス這いまわし経路２４とを備えている。
【００２４】
図２中太線にて示した、このハーネス這いまわし経路２４を介して、光源制御部２１と、ポリゴンミラー制御部２２と、光ビーム検出部２３とのコネクタにそれぞれ接続された配線用ハーネスは、図２中の左側に示す位置で１つにまとまって、光走査装置の外部へ出ている。
【００２５】
また、図３に示すように、ハーネス這いまわし経路２４として、ハーネスガイド２４ａ〜２４ｇを設けることとしてもよい。この場合、光ビーム検出部２３のコネクタに接続されたハーネスは、ハーネスガイド２４ｆ、ハーネスガイド２４ｇの順番でガイドされて這いまわされる。また、ポリゴンミラー制御部２２のコネクタに接続されたハーネスは、ハーネスガイド２４ａ、ハーネスガイド２４ｂ、ハーネスガイド２４ｃ、ハーネスガイド２４ｄ、ハーネスガイド２４ｅ、ハーネスガイド２４ｆ、ハーネスガイド２４ｇの順番でガイドされて這いまわされる。
【００２６】
なおこのとき、ハーネスガイド２４ａ〜ハーネスガイド２４ｇによりガイドされて這いまわされたハーネスは、前述した同期ビームＬを遮らないように配置されている。本実施形態では、同期ビームＬよりも上側に這いまわせるようにしてガイドされているが、同期ビームＬを遮らないようにすれば上側に限定されない。
【００２７】
次に、図４は、光ビーム検出部２３をより詳細に示す図である。
本実施形態の光ビーム検出部２３は、光ビーム検出装置２３１と、光ビーム検出基板２３２と、光ビーム検出基板用のコネクタ２３３などで構成されている。なお、実際にはその他各種部品を備えているが、本実施形態には直接は関係ないので、図示および説明を省略する。
【００２８】
図４に示すように、光ビーム検出基板用のコネクタ２３３が光ビーム検出装置２３１よりも上側に配置されている。したがって、コネクタ２３３から出たハーネスは、図３にて説明したガイドなどによって光ビーム検出装置２３１よりも上側に這いまわされるので、ハーネスが光ビーム検出装置２３１に入射される同期ビームＬを遮ることがない構成となっている。
【００２９】
次に、図５は、本実施形態のポリゴンミラー制御部２２をより詳細に示す図である。
本実施形態のポリゴンミラー制御部２２は、偏向手段であるポリゴンミラー２２１と、ポリゴンミラー制御基板２２２と、ポリゴンミラー制御基板用のコネクタ２２３と、ポリゴンミラーの回転動作を制御するポリゴンモータドライバ２２４などで構成されている。また、図５においても図４で説明したように、実際にはその他各種部品を備えているが、本実施形態には直接は関係ないので、図示および説明を省略する。
【００３０】
図５に示すように、ポリゴンミラー制御基板用のコネクタ２２３が、ポリゴンミラー制御基板２２２の基板に対して垂直に配置されている。すなわち、コネクタ２２３のハーネスとの接続口が、基板面からみて垂直上方を向いた状態で配置されている。したがって、コネクタ２２３から出たハーネスは、ポリゴンミラー制御基板２２２から垂直上方に出されて、図３にて説明したガイドなどによって上側に這いまわされる。このように、ハーネスがポリゴンミラー２２１にて偏向される光ビーム（同期ビームＬなど）を遮ることがない構成となっている。
【００３１】
次に、図６は、光源制御部２１をより詳細に示す図である。
本実施形態の光源制御部２１は、発光源である光源部２１１と、光源制御基板２１２と、光源制御基板用のコネクタ２１３などで構成されている。なお、図６においても図４および図５で説明したように、実際にはその他各種部品を備えているが、本実施形態には直接は関係ないので、図示および説明を省略する。
【００３２】
図６に示すように、光源制御基板用のコネクタ２１３が、光源部２１１よりも上側に配置されている。したがって、コネクタ２１３から出たハーネスは、図３にて説明したガイドなどによって光源部２１１よりも上側に這いまわされるので、ハーネスが光源部２１１から発行される光ビームを遮ることがない構成となっている。
【００３３】
また、さらに本実施形態では、図７に示すように、ハーネスが全ての光ビーム（同期ビームＬを含む）を遮らないようにするため、ハーネス這いまわし経路２４を全ての光ビームの上側を這いまわす構成としてもよい。この場合、光源制御部２１と、ポリゴンミラー制御部２２と、光ビーム検出部２３との基板上にそれぞれ設けられたコネクタ全てが、出入射される光ビームよりも上側になるように配置されることとなる。そして各コネクタから出た各ハーネスは、１つにまとまって光走査装置１の上側から外部へと出ている。このように各コネクタを配置することで、ハーネスが光ビームを遮ることがない構成をとることが可能となる。
なお、図７では、ハーネス這いまわし経路２４を全ての光ビームの上側にすることとして説明したが、全ての光ビームを遮らないようにする構成であれば、上側に限定されない。
【００３４】
以上、本実施形態の光走査装置および画像形成装置によれば、光ビーム検出基板を片面実装できるので、ハーネスが抜けることを防止でき、またコストダウンにもなる。また、光走査装置内にて光を遮ることなくハーネスを這いまわすことができる。
【図面の簡単な説明】
【００３５】
【図１】本実施形態の画像形成装置の構成を示すブロック図である。
【図２】本実施形態の光走査装置の概略の一例を示す斜視図である。
【図３】本実施形態のハーネス這いまわし経路であるハーネスガイドを模式的に示す図である。
【図４】本実施形態の光ビーム検出部を示す図である。
【図５】本実施形態のポリゴンミラー制御部を示す図である。
【図６】本実施形態の光源制御部を示す図である。
【図７】本実施形態の光走査装置の概略の他の一例を示す斜視図である。
【符号の説明】
【００３６】
１    光走査装置
２１    光源制御部
２２    ポリゴンミラー制御部
２３    光ビーム検出部
２４    ハーネス這いまわし経路
【図１】
2007248652.tif 000003
【図２】
2007248652.tif 000004
【図３】
2007248652.tif 000005
【図４】
2007248652.tif 000006
【図５】
2007248652.tif 000007
【図６】
2007248652.tif 000008
【図７】
2007248652.tif 000009